(57)【要約】【課題】既設装置と互換性を持つ入出力仕様を低コストで実現可能な変換回路あるいは配線調整回路を用いて行なう保護監視制御盤の制御ユニット及びその交換構造を提供する。【解決手段】保護監視制御盤の制御ユニット１０は、マザーボード１と、端子台コネクタ３との間に、配線調整室５を設ける。配線調整室５では、マザーボード１とケース４の背面の端子台コネクタ３との間の接続変更配線を行う。すなわち、既設の保護監視制御盤に対して、制御ユニット１０を新設する場合、マザーボード１、基板２及びフラットケーブル７の仕様は新規構成のままにし、マザーボード１における新規の入出力仕様から配線調整室５において配線調整を行い、既設の入出力仕様の端子台コネクタ３と配線を整合させ接続する。【選択図】図１
2010205935.tif 000002
【特許請求の範囲】
【請求項１】
保護監視制御盤の制御ユニットにおける各種機能を入出力、演算、通信、電源供給のサブ機能に分割した複数の基板と、前記複数の基板への電力供給や基板間の信号受渡しのためのシステムバスを搭載し、外部へ信号を引き出すためのインターフェース機能を備えたマザーボードと、マザーボードを補完して、前記複数の基板間の信号の受け渡しを行なうフラットケーブルと、をケースに収納してなり、当該ケースに、保護監視制御盤の内部配線と接続する端子台コネクタを備えた保護監視制御盤の制御ユニットにおいて、
前記マザーボードと、前記端子台コネクタとの間に、配線調整室を備え、
前記配線調整室により、前記マザーボードの入出力仕様と、前記端子台コネクタの入出力仕様とが異なる場合に、異なる入出力仕様の接続変更配線を行うことを特徴とする保護監視制御盤の制御ユニット。
【請求項２】
保護監視制御盤の制御ユニットにおける各種機能を入出力、演算、通信、電源供給のサブ機能に分割した複数の基板と、前記複数の基板への電力供給や基板間の信号受渡しのためのシステムバスを搭載し、外部へ信号を引き出すためのインターフェース機能を備えたマザーボードと、マザーボードを補完して、前記複数の基板間の信号の受け渡しを行なうフラットケーブルと、をケースに収納してなり、当該ケースに、保護監視制御盤の内部配線と接続する端子台コネクタを備えた保護監視制御盤の制御ユニットにおいて、
前記マザーボードの入出力仕様と、前記端子台コネクタの入出力仕様とが異なる場合に、異なる入出力仕様の接続変更配線を行う配線調整回路を、前記マザーボードに埋設したことを特徴とする保護監視制御盤の制御ユニット。
【請求項３】
保護監視制御盤の制御ユニットにおける各種機能を入出力、演算、通信、電源供給のサブ機能に分割した複数の基板と、前記複数の基板への電力供給や基板間の信号受渡しのためのシステムバスを搭載し、前記複数の基板間の信号の受け渡しを行なうフラットケーブルと、をケースに収納してなり、当該ケースに、保護監視制御盤の内部配線と接続する端子台コネクタを備えた保護監視制御盤の制御ユニットにおいて、
前記基板の入出力仕様と、前記端子台コネクタの入出力仕様とが異なる場合に、異なる入出力仕様の接続変更配線を行う配線調整回路を、前記複数の各基板に個別に設けたことを特徴とする保護監視制御盤の制御ユニット。
【請求項４】
保護監視制御盤の制御ユニットにおける各種機能を入出力、演算、通信、電源供給のサブ機能に分割した複数の基板と、前記複数の基板への電力供給や基板間の信号受渡しのためのシステムバスを搭載し、外部へ信号を引き出すためのインターフェース機能を備えたマザーボードと、マザーボードを補完して、前記複数の基板間の信号の受け渡しを行なうフラットケーブルと、をケースに収納してなり、当該ケースに、保護監視制御盤の内部配線と接続する端子台コネクタを備えた保護監視制御盤の制御ユニットにおいて、
前記マザーボードと、前記端子台コネクタとの間に、入力仕様変換基板を備え、
前記入力仕様変換基板により、前記マザーボードの入出力仕様と、前記端子台コネクタの入出力仕様とが異なる場合に、マザーボードにおける入出力仕様から仕様を変換し、前記端子台コネクタの入出力仕様と整合させ、これらを接続するものであることを特徴とする保護監視制御盤の制御ユニット。
【請求項５】
前記入力仕様変換基板と、前記他の基板との接続にフラットケーブルを用い、マザーボードとは独立して、基板間を、既設ユニットと互換性を持つ入出力回路を引き出す回路配置として、マザーボードの機能を補完したことを特徴とする請求項４記載の保護監視制御盤の制御ユニット。
【請求項６】
保護監視制御盤の制御ユニットにおける各種機能を入出力、演算、通信、電源供給のサブ機能に分割した複数の基板と、前記複数の基板への電力供給や基板間の信号受渡しのためのシステムバスを搭載し、外部へ信号を引き出すためのインターフェース機能を備えたマザーボードと、マザーボードを補完して、前記複数の基板間の信号の受け渡しを行なうフラットケーブルと、をケースに収納してなり、さらに、当該ケースに設けた保護監視制御盤の内部配線と接続する端子台コネクタと、盤と他装置との信号伝達を行なう外部ケーブルを接続する盤端子台と、を備えた保護監視制御盤の制御ユニットにおいて、
前記ケースと、前記盤端子台との間に、配線調整室を備え、
前記配線調整室により、前記ケースの入出力仕様と、前記盤端子台の入出力仕様とが異なる場合に、異なる入出力仕様の接続変更配線を行うことを特徴とする保護監視制御盤の制御ユニット。
【請求項７】
保護監視制御盤における制御ユニットの各種機能を入出力、演算、通信、電源供給のサブ機能に分割した複数の基板と、前記複数の基板への電力供給や基板間の信号受渡しのためのシステムバスを搭載し、外部へ信号を引き出すためのインターフェース機能を備えたマザーボードと、マザーボードを補完して、前記複数の基板間の信号の受け渡しを行なうフラットケーブルと、をケースに収納してなり、当該ケースに、保護監視制御盤の内部配線と接続する端子台コネクタを備えた保護監視制御盤の制御ユニット交換構造において、
前記マザーボードと、前記端子台コネクタとの間に、配線調整室を設け、
前記配線調整室により、前記マザーボードの入出力仕様と、前記端子台コネクタの入出力仕様とが異なる場合に、異なる入出力仕様の接続変更配線を行うことを特徴とする保護監視制御盤の制御ユニット交換構造。
【請求項８】
保護監視制御盤における制御ユニットの各種機能を入出力、演算、通信、電源供給のサブ機能に分割した複数の基板と、前記複数の基板への電力供給や基板間の信号受渡しのためのシステムバスを搭載し、外部へ信号を引き出すためのインターフェース機能を備えたマザーボードと、マザーボードを補完して、前記複数の基板間の信号の受け渡しを行なうフラットケーブルと、をケースに収納してなり、当該ケースに、保護監視制御盤の内部配線と接続する端子台コネクタを備えた保護監視制御盤の制御ユニット交換構造において、
前記マザーボードの入出力仕様と、前記端子台コネクタの入出力仕様とが異なる場合に、異なる入出力仕様の接続変更配線を行う配線調整回路を、前記マザーボードに埋設したことを特徴とする保護監視制御盤の制御ユニット交換構造。
【請求項９】
保護監視制御盤における制御ユニットの各種機能を入出力、演算、通信、電源供給のサブ機能に分割した複数の基板と、前記複数の基板への電力供給や基板間の信号受渡しのためのシステムバスを搭載し、前記複数の基板間の信号の受け渡しを行なうフラットケーブルと、をケースに収納してなり、当該ケースに、保護監視制御盤の内部配線と接続する端子台コネクタを備えた保護監視制御盤の制御ユニット交換構造において、
前記基板の入出力仕様と、前記端子台コネクタの入出力仕様とが異なる場合に、異なる入出力仕様の接続変更配線を行う配線調整回路を、前記複数の各基板に個別に設けたことを特徴とする保護監視制御盤の制御ユニット交換構造。
【請求項１０】
保護監視制御盤における制御ユニットの各種機能を入出力、演算、通信、電源供給のサブ機能に分割した複数の基板と、前記複数の基板への電力供給や基板間の信号受渡しのためのシステムバスを搭載し、外部へ信号を引き出すためのインターフェース機能を備えたマザーボードと、マザーボードを補完して、前記複数の基板間の信号の受け渡しを行なうフラットケーブルと、をケースに収納してなり、当該ケースに、保護監視制御盤の内部配線と接続する端子台コネクタを備えた保護監視制御盤の制御ユニット交換構造において、
前記マザーボードと、前記端子台コネクタとの間に、入力仕様変換基板を備え、
前記入力仕様変換基板により、前記マザーボードの入出力仕様と、前記端子台コネクタの入出力仕様とが異なる場合に、マザーボードにおける入出力仕様から仕様を変換し、前記端子台コネクタの入出力仕様と整合させ、これらを接続するものであることを特徴とする保護監視制御盤の制御ユニット交換構造。
【請求項１１】
前記入力仕様変換基板と、前記他の基板との接続にフラットケーブルを用い、マザーボードとは独立して、基板間を、既設ユニットと互換性を持つ入出力回路を引き出す回路配置として、マザーボードの機能を補完したことを特徴とする請求項１０記載の保護監視制御盤の制御ユニット交換構造。
【請求項１２】
保護監視制御盤における制御ユニットの各種機能を入出力、演算、通信、電源供給のサブ機能に分割した複数の基板と、前記複数の基板への電力供給や基板間の信号受渡しのためのシステムバスを搭載し、外部へ信号を引き出すためのインターフェース機能を備えたマザーボードと、マザーボードを補完して、前記複数の基板間の信号の受け渡しを行なうフラットケーブルと、をケースに収納してなり、さらに、当該ケースに設けた保護監視制御盤の内部配線と接続する端子台コネクタと、盤と他装置との信号伝達を行なう外部ケーブルを接続する盤端子台と、を備えた保護監視制御盤の制御ユニット交換構造において、
前記ケースと、前記盤端子台との間に、配線調整室を備え、
前記配線調整室により、前記ケースの入出力仕様と、前記盤端子台の入出力仕様とが異なる場合に、異なる入出力仕様の接続変更配線を行うことを特徴とする保護監視制御盤の制御ユニット交換構造。
【発明の詳細な説明】
【技術分野】
【０００１】
本発明は、電力系統設備の保護監視制御システムにおいて、保護監視制御盤の機能を実現する制御ユニットに関する技術の改良に係り、特に、制御ユニットの交換を低コストで実現可能な制御ユニットの交換構造に関する。
【背景技術】
【０００２】
電力系統設備の保護監視制御システムは、旧世代のメカニカル形、静止形装置からディジタル形への移行が継続して急速に進んでいる分野の一つである。発電所や変電所に設置されている保護監視制御装置は、複数の保護リレー、監視制御機器を搭載し補助リレー等を使用したシーケンス回路を内部に持つ盤単位の構成となっており、装置寿命時点での交換は、新しい保護監視制御ユニットを搭載した盤をメーカで新規に製作し、既設の盤と交換する方法が主流である。このような盤の交換作業においては、現地で盤へ接続されている制御ケーブルを再敷設し、周辺装置を含む関連機能を網羅した再試験を行う必要がある。ここで、保護監視制御盤の機能を実現するハードウェア単位を、ユニットと呼ぶ。通常、盤には複数のユニットが搭載されており、他の盤との間は、盤に取り付けられている端子台を介して接続される構成となっている。
【０００３】
具体的に保護監視制御盤の基本的構成例について、図面を参照して説明する。図７に示すように、一般的に、保護監視制御盤の盤筐体１２の表面には、主機能を有する制御ユニットを構成するユニットケース４が取り付けられており、このほか、周辺回路を構成する表示ランプ、切替スイッチ、試験入力端子等種々の盤用品１４が取り付けられている。この盤と他装置との信号伝達は盤端子台６６と外部ケーブル１３を介して行われる。これらが盤内部配線１１で接続され、盤としての機能を実現する。
【０００４】
このような保護監視制御盤におけるディジタル形制御ユニットの内部構成について、図８を用いて説明する。制御ユニットにおいては、機能を入出力、演算、通信、電源供給等のサブ機能に分割した基板をマザーボード又はバックボードと呼ばれる共通基板に取り付けて全体機能を達成する内部構成が典型的である。具体的には、図８に示すように、基板２への電力供給、基板２間の信号受渡しのためのシステムバスの搭載、外部へ信号を引き出すためのインターフェース等の機能を有するマザーボード１を備え、また、基板間の信号の受け渡しには、基板前部へ取り付けるフラットケーブル７を備える。この制御ユニットの裏面には他機器との入出力信号をインターフェースするための端子台コネクタ３が取り付けられており、先述の盤内部配線１１はこの端子台コネクタへ３接続される。
【０００５】
以上のようなティジタル形制御ユニットを搭載した盤では、搭載されている機器や部品の改廃周期がアナログシステム時代の機器や部品寿命より遥かに短く、近年その短期化は益々加速している。そのため、装置寿命以前に同じ部品の調達が困難になり装置が複製不可能となる場合がある。したがって、装置寿命時点での交換時に、寿命到来機器や部品のみではなく、既設のものとは互換性の低い機器や部品を搭載した盤全体を交換せざるを得なくなる。また、例えば、複数の電気所へ同時期に納入した保護監視制御装置などは、寿命も同時期に訪れるため一時期に多数の盤の更新が必要となる。
【０００６】
以上のような理由から、電力設備用の保護監視制御装置の装置更新の対象範囲、コストは、今後拡大する傾向がある。他方、電力供給のための社会基盤を構成する設備、装置に対しては、機能の高度化、高品質化を要求しつつ、コストダウンもともに要求するという相反する要求が社会的に常に強く求められている。
【０００７】
従来の装置におけるユニット交換方法として、多段式制御ユニットにおいて外線ケーブルを直接制御ユニットまで引き込む方式において、ユニット側面遮蔽板単位の制御ユニットの交換を可能としている一例がある（例えば、特許文献１参照）。
【先行技術文献】
【特許文献】
【０００８】
【特許文献１】特開２００３−１４３７２２号公報
【発明の概要】
【発明が解決しようとする課題】
【０００９】
ところで、一般に、運用中かつ正常に機能しているシステムの一部装置の寿命到来に際し、盤全体を交換する作業は、停電時間や現地試験時間の増大、対向装置との電気的接続面での影響が大きい為、作業範囲だけでなく様々なリスクやコストも拡大する。一方で、なるべく範囲を限定して装置を更新する手法は、現在問題なく機能している部分に対して更新作業が与えるリスクを軽減でき、既設装置との接続部分の効率的な品質維持と装置更新のコスト低減に大きく寄与すると考えられる。
【００１０】
しかし、上述のような外線ケーブルを、直接制御ユニットまで引き込む方式における制御ユニットにおけるユニット遮蔽板単位の制御ユニットの交換は、盤内に外部ケーブル専用端子台を集中配置し、そこで外部ケーブルと取り合う形態の制御盤やディジタル基板を搭載した制御ユニットの交換に対しては、その方法自体不向きである。
【００１１】
また、更新しようとする装置の機器や部品が既に入手困難であることは、既設装置の更新にとって大きな問題となる。更新しようとする装置と情報を受け渡す既設周辺システムには既設システムの入出力仕様があり、これは新規装置のものと異なる場合が多い。そのため、現状運用されている環境で一部装置の更新による周辺装置の変更を避けるためには、更新される装置を既設装置の入出力仕様に合わせなければならないが、既設装置の仕様を考慮した個別の新規装置設計は、ハードウェアの制約条件を回避するためのコストが増大する要因となり、非現実的な場合も多い。
【００１２】
本発明は、上記のような従来技術の問題点を解決するために提案されたものであり、その目的は、制御ユニットを搭載した保護監視制御盤の交換の際に、盤に搭載されているユニットのみを交換し、既設装置へ接続される制御ケーブル等の既設設備は流用して現地工事や試験範囲の極小化による停電時間の大幅削減、作業簡素化、低コスト化を実現できる保護監視制御盤の制御ユニット及びその交換構造を提供することにある。
【課題を解決するための手段】
【００１３】
上記目的を達成するため、本発明は、保護監視制御盤の制御ユニットにおける各種機能を入出力、演算、通信、電源供給のサブ機能に分割した複数の基板と、前記複数の基板への電力供給や基板間の信号受渡しのためのシステムバスを搭載し、外部へ信号を引き出すためのインターフェース機能を備えたマザーボードと、マザーボードを補完して、前記複数の基板間の信号の受け渡しを行なうフラットケーブルと、をケースに収納してなり、当該ケースに、保護監視制御盤の内部配線と接続する端子台コネクタを備えた保護監視制御盤の制御ユニットにおいて、前記マザーボードと、前記端子台コネクタとの間に、配線調整室を備え、前記配線調整室により、前記マザーボードの入出力仕様と、前記端子台コネクタの入出力仕様とが異なる場合に、異なる入出力仕様の接続変更配線を行うことを特徴とする。
【００１４】
以上のような本発明によれば、既設の制御ユニットにおける入出力信号仕様による制限が軽減され、新規ユニットは汎用性を持たせた新規の標準化が可能となり適用範囲の拡大を図ることができる。これにより、一部装置の更新による周辺装置の変更を避けるため、更新される装置の入出力信号仕様を、既設装置の入出力仕様に合わせる必要がなく、ハードウェアの制約条件を受けず、低コストでの制御ユニットの交換が可能となる。
【００１５】
したがって、盤内部配線、外部ケーブル共に既設のものがそのままの状態で流用できるので、更新改造時の作業ミスの防止に顕著な効果が期待でき、この部分に関わる試験の簡易化および更新時の停電時間の大幅削減も期待できる。
【発明の効果】
【００１６】
本発明によれば、既設装置と互換性を持つ入出力仕様を低コストで実現可能な変換回路あるいは配線調整回路を用いて行なう保護監視制御盤の制御ユニット及びその交換構造を提供することが可能となる。
【図面の簡単な説明】
【００１７】
【図１】本発明の第１の実施形態における保護制御監視制御盤の制御ユニットの内部構成を示す模式図。
【図２】本発明の第３の実施形態における保護制御監視制御盤の制御ユニットの内部構成を示す模式図。
【図３】本発明の第４の実施形態における保護制御監視制御盤の制御ユニットの内部構成を示す模式図。
【図４】本発明の第５の実施形態における保護制御監視制御盤の制御ユニットの内部構成を示す模式図。
【図５】本発明の第６の実施形態における保護制御監視制御盤の内部構成を示す模式図。
【図６】本発明の第７の実施形態における保護制御監視制御盤の制御ユニットの内部構成を示す模式図。
【図７】従来の保護監視制御盤の内部構成を示す模式図。
【図８】従来の保護監視制御盤における制御ユニットの内部構成を示す模式図。
【発明を実施するための形態】
【００１８】
以下、本発明を実施するための代表的な形態（以下、「実施形態」という。）について、図１〜図６を参照して具体的に説明する。なお、従来技術と同様の構成には同様の符号を付し、説明を省略する場合がある。
【００１９】
［１．第１の実施形態］
［１−１．構成］
本発明の第１の実施形態に係る保護監視制御盤の制御ユニット１０は、図１に示すように、従来の制御ユニット同様、機能を入出力、演算、通信、電源供給等のサブ機能に分割した複数の基板２を備え、これらを、基板２への電力供給、基板２間の信号受渡しのためのシステムバスの搭載、外部へ信号を引き出すためのインターフェース等の機能を備えたマザーボード１に接続している。また、マザーボード１以外に、基板２間の信号の受け渡しを行なうため、基板２前部にフラットケーブル７が取り付けられている。
【００２０】
従来は、このマザーボード１に他機器との入出力信号をインターフェースする端子台コネクタ３を直接的に接続していた。これに対して、本実施形態の制御ユニット１０では、マザーボード１と、端子台コネクタ３との間に、配線調整室５を設けて構成している。
【００２１】
この配線調整室５では、マザーボード１とケース４の背面の端子台コネクタ３との間の接続変更配線を行うものである。すなわち、既設の保護監視制御盤に対して、制御ユニット１０を新設する場合、マザーボード１、基板２及びフラットケーブル７の仕様は新規構成のままにし、マザーボード１における新規の入出力仕様から配線調整室５において配線調整を行い、既設の入出力仕様の端子台コネクタ３と配線を整合させ接続する。
【００２２】
ここで、マザーボード１は、既設ユニットと互換性のあるハードウェア仕様を持つ入出力回路を備える必要があるが、形状の差異は許容されるので最新の素子や部品が採用でき設計上の制約は少ない。新規ユニットのケース４に取り付ける端子台コネクタ３に既設ユニットと互換性のある形状のものを採用することで、盤内部配線および盤外部ケーブルは既設のものをほぼ流用可能である。
【００２３】
また、最近のディジタル機器の入出力基板は、ユーザが入出力信号を選択し設定できる仕組みを持つ方式が普及してきており、既設ユニットと機能が等価な入出力信号はソフトウェアで実現可能である。
【００２４】
なお、既設盤の容積に制限がある場合、既設と同サイズのケース４を適用しケース４内部に基板２の他に配線調整室５も設けることになるが、電子部品の進歩により基板自体は一般的に縮小化が進んでおり、配線調整室５のスペースの確保に支障が生じることは考えられない。
【００２５】
［１−２．作用効果］
以上のような本実施形態の制御ユニット１０によれば、既設の制御ユニットにおける入出力信号仕様による制限が軽減され、新規ユニットは汎用性を持たせた新規の標準化が可能となり適用範囲の拡大を図ることができる。これにより、一部装置の更新による周辺装置の変更を避けるため、更新される装置の入出力信号仕様を、既設装置の入出力仕様に合わせる必要がなく、ハードウェアの制約条件を受けず、低コストでの制御ユニットの交換が可能となる。
【００２６】
したがって、盤内部配線、外部ケーブル共に既設のものがそのままの状態で流用できるので、更新改造時の作業ミスの防止に顕著な効果が期待でき、この部分に関わる試験の簡易化および更新時の停電時間の大幅削減も期待できる。
【００２７】
［２．第２の実施形態］
本発明の第２の実施形態に係る保護監視制御盤の制御ユニット２０について説明する。本実施形態における制御ユニット２０は、既設装置との入出力信号の配線調整機能を第１の実施形態で示したマザーボード１へ埋め込む方式である。すなわち、制御ユニット２０のマザーボード１に既設ユニットの入出力信号と互換性を持つ信号を入出力するための配線調整回路を埋め込んで構成したものである。
【００２８】
以上のような本実施形態の制御ユニット２０によれば、既設ユニットの端子台コネクタ３と互換性を持つ端子コネクタの装着、新規基板と旧端子台の整合を取る回路パターンをマザーボード１の設計に考慮することで、第１の実施形態のような配線調整室５は不要となる。
【００２９】
したがって、第１の実施形態において示した効果に加えて、量産が適する更新需要数量がある場合にマザーボード１の量産効果によるコスト低減が期待できる。
【００３０】
［３．第３の実施形態］
次に本発明の第３の実施形態に係る保護監視制御盤の制御ユニット３０について、図２を用いて説明する。なお、他の実施形態と同一の構成には同一の符号を付し重複する説明は省略する。
【００３１】
本実施形態における制御ユニット３０は、図２に示すように、既設装置の入出力仕様を備えた配線調整部９を、各基板２に対して一体化して埋め込んで構成したものである。
【００３２】
以上のような本実施形態によれば、基板の交換を複数回行なうような場合、２回目以降は、新規回路部分の基板のみを交換するといった基板単位での交換が可能となる。この方法は、第２の実施形態で示したような態様では、マザーボードへ１の配線調整機能の適用が難しい場合に代替可能な方式となる。この場合、通常のマザーボード１の機能をフラットケーブル７に持たせることが必要になる。
【００３３】
［４．第４の実施形態］
次に本発明の第４の実施形態に係る保護監視制御盤の制御ユニット４０について、図３を用いて説明する。なお、他の実施形態と同一の構成には同一の符号を付し重複する説明は省略する。
【００３４】
本実施形態における制御ユニット４０は、第３の実施形態において示したような各基板上に埋め込む方法の変形例として、各基板２の新規回路部分と既設入出力回路との配線調整部９をコネクタで分離できる構造としたものである。具体的には、図３に示すように、既設装置の入出力仕様との配線調整部９を、親基板となる各基板２に対して、子基板１５を装着し、この親基板２と接続して新設の回路と既設の回路との既設配線調整を行なうようにしたものである。
【００３５】
以上のような本実施形態によれば、各基板２の新規回路部分と既設入出力回路との配線調整部９をコネクタで分離できる構造としたので、新規回路部分の基板２の適用範囲が広がる。このような方法は、第３の実施形態同様、第２の実施形態のマザーボードへの配線調整部の適用が難しい場合に有用な方法となる。
【００３６】
また、第３の実施形態と同様、基板の交換を複数回行なうような場合、２回目以降は、基板単位での交換が可能となる。ただし、この場合、通常のマザーボード１の機能をフラットケーブル７に持たせることが必要となる。
【００３７】
［５．第５の実施形態］
次に本発明の第５の実施形態に係る保護監視制御盤の制御ユニット５０について、図４を用いて説明する。なお、他の実施形態と同一の構成には同一の符号を付し、重複する説明は省略する。
【００３８】
本実施形態の制御ユニット５０は、第１の実施形態の配線調整室５に代えて、これと同等の機能を有する変換専用基板８を設けて構成したものである。この変換専用基板８は、マザーボード１とケース４の背面の端子台コネクタ３との間の接続を変更する配線を行うものであり、これにより、既設の保護監視制御盤に対して制御ユニット１０を新設する場合、マザーボード１、基板２及びフラットケーブル７の仕様は新規構成のままにして、マザーボード１における新規の入出力仕様から変換専用基板８において仕様を変換し、既設の入出力仕様の端子台コネクタ３と整合させ接続するものである。
【００３９】
以上のような本実施形態によれば、変換専用基板８以外の基板は、新規設計に既設との互換性を考慮する必要がなく、制御ユニットの交換における制約が軽減される。このように新規基板設計の制約が軽減されることとともに、電子部品の進歩やサブ機能分割の工夫により、副次的に、基板枚数の削減を図ることができ、そのため、既設ケースサイズの制約に応じて変換専用基板８のスペースをユニットケース４内部に確保することが可能となる。
【００４０】
［６．第６の実施形態］
次に本発明の第６の実施形態に係る保護監視制御盤の制御ユニット６０について、図５を用いて説明する。なお、他の実施形態と同一の構成には同一の符号を付し、重複する説明は省略する。
【００４１】
本実施形態の制御ユニット６０は、第１の実施形態の配線調整室５の機能を、フラットケーブル７を介した変換専用基板８に設けて構成したものである。図５に示すように、この場合、フラットケーブル７は、マザーボード１とは独立して、基板２間を、基板前部のフラットケーブルコネクタ部分に既設ユニットと互換性を持つ入出力回路を引き出す回路配置とし、マザーボード１の機能を補完するように構成する。
【００４２】
以上のような本実施形態によれば、基板前部のフラットケーブルコネクタ部分に既設ユニットと互換性を持つ入出力回路を引き出す回路配置とすることで、基板の他の部分は既設の回路との互換性確保の制約が軽減され新規に標準化が可能である。
【００４３】
［７．第７の実施形態］
次に本発明の第７の実施形態に係る保護監視制御盤の制御ユニット７０について、図６を用いて説明する。なお、他の実施形態と同一の構成には同一の符号を付し、重複する説明は省略する。
【００４４】
本実施形態の制御ユニット７０は、ユニットケース４内部容積の制限が多く配線調整室５や基板追加が適用不可能な場合の対策として、第１の実施形態で示した配線調整室５を、ユニットケース４内部でなく、ケース４の外部に設けたものである。
【００４５】
図６に示すように、この方式では、新規の保護監視制御ユニットとは分離した配線変換器１６を設け、新規保護監視制御ユニットと他装置の間の入出力信号の整合を取るように構成した。なお、その他の構成は第１の実施形態と同様であるので省略する。
【００４６】
以上のような本実施形態によれば、既設の端子台コネクタ３の形状の制約を受けない新規ユニットケース４が適用でき、新規設計の柔軟性が増す。また、上記実施形態の構成に比較して、盤内部配線の現地での盤配線変更作業時間が増加し付随して試験範囲が拡大傾向となるが、外部ケーブル１３の変更はないため、盤外部の試験が簡略化できる点は上記各実施形態と同様である。
【００４７】
［８．他の実施形態］
本発明は、上述した実施形態で説明した態様に限定されるものではなく、例えば、以下のような態様も包含する。すなわち、各基板の設計制約に合わせて、上記の第１の実施形態から７の構成を適宜組み合わせて構成することも可能である。
【００４８】
例えば、主として、第１又は第２の実施形態で示した配線調整室５又は配線調整回路を用いて、マザーボード１と端子台コネクタ３間で配線を調整しつつ、基板単位での交換が想定される基板２については、第３又は第４の実施形態で示した配線調整部９又は子基板１５を別途個別に基板２に取り付けて構成することができる。この例において、第１又は第２の実施形態で示した配線調整室５又は配線調整回路に代えて、第５及び第６の実施形態で示した変換専用基板８又は第７の実施形態で示した配線変換器１６を用いて構成できることは言うまでもない。
【符号の説明】
【００４９】
１…マザーボード
２…基板
３…端子台コネクタ
４…ユニットケース
５…配線調整室
６…盤端子台
７…フラットケーブル
８…変換専用基板
９…配線調整部
１０，２０，３０，４０，５０，６０，７０…制御ユニット
１１…盤内部配線
１２…盤筐体
１３…外部ケーブル
１４…盤用品
１５…子基板
１６…配線変換器
【図１】
2010205935.tif 000003
【図２】
2010205935.tif 000004
【図３】
2010205935.tif 000005
【図４】
2010205935.tif 000006
【図５】
2010205935.tif 000007
【図６】
2010205935.tif 000008
【図７】
2010205935.tif 000009
【図８】
2010205935.tif 000010